(57)【要約】【課題】スキップ床に生じる振動を低減させること。【解決手段】住宅１０は、主構造体の一階柱をスキップ柱４２の一部に用いて設けられたスキップ床構造体４１が設けられている。このスキップ床構造体４１はスキップ梁構造４３を有し、スキップ梁構造４３に複数の床パネル１０１が設置されることによってスキップ床が構成されている。スキップ梁構造４３を構成するスキップ内梁４１のうち、第１主内梁７２Ａは定形床パネル１０１ａの長手方向端部を支持しており、その第１主内梁７２Ａに振動を低減させる制振装置１１１が設けられている。【選択図】図３
2010209616.tif 000002
【特許請求の範囲】
【請求項１】
建物の全体構造を構成する主構造体と、同主構造体に対して振動系を異ならせて設けられる副構造体とを備えた建物において、
前記副構造体は複数の床パネルが設置されることによってスキップ床が構成されるスキップ床構造体であり、同スキップ床構造体には前記スキップ床の振動を低減させる制振装置が設けられていることを特徴とする建物。
【請求項２】
前記スキップ床構造体は、矩形状をなす前記各床パネルがその長辺部同士を突き合わせて連設されるとともに、個々の床パネルの長手方向の両端部が短手方向に延びるスキップ梁に支持されるスキップ梁構造を含み、
前記床パネルの長手方向端部を支持するスキップ梁に、前記制振装置が設けられていることを特徴とする請求項１に記載の建物。
【請求項３】
前記スキップ梁構造は、
前記主構造体又は前記スキップ床構造体の柱に連結されてなるスキップ外周梁と、
同スキップ外周梁の内側に設けられたスキップ内梁と、
を有し、
前記複数の床パネルの連接列が複数列設けられるとともに、各連設列の間に前記スキップ内梁が設けられ、同スキップ内梁により、隣接する両連設列の他列と向かい合う側の長手方向端部が併せて支持されており、
前記床パネルの連設列間に設けられたスキップ内梁に、前記制振装置が設けられていることを特徴とする請求項２に記載の建物。
【請求項４】
前記スキップ梁構造を構成するスキップ梁は形鋼によって構成されるとともに、スキップ梁間に掛け渡されるスキップ内梁はその連結端部に設けられた仕口部材を介して連結対象梁に連結される連結構造を有し、
前記仕口部材は、少なくとも前記連結対象梁が有する上フランジとその下側で面接触する上重合板部を備えていることを特徴とする請求項２又は３に記載の建物。
【請求項５】
前記仕口部材には、少なくとも前記スキップ内梁が有する下フランジとその上側で面接触する下重合板部を備えていることを特徴とする請求項４に記載の建物。
【請求項６】
前記スキップ内梁はウエブの両側に延びるフランジを備えた形鋼によって構成され、
前記上下の重合板部は前記連結対象梁及びスキップ内梁の両フランジにまたがる長さを有するとともに、前記スキップ内梁のウエブを挿入する挿入部がそれぞれ設けられていることを特徴とする請求項５に記載の建物。
【請求項７】
前記主構造により、上下階の各柱とその両柱の間に設けられた上階床梁とを含んで複数階建ての全体構造が構成されており、
前記スキップ床構造体は、その有するスキップ梁構造が前記主構造体の下階柱に連結された構成を有していることを特徴とする請求項１乃至６のいずれか１項に記載の建物。
【発明の詳細な説明】
【技術分野】
【０００１】
本発明は、建物の全体構造を構成する主構造体と、その主構造体に対して振動系を異ならせて設けられる副構造体とを備えた建物に関する。
【背景技術】
【０００２】
住宅等の建物において、同一階部分における床面と天井面との間にスキップ床（中間床）が設けられ、そのスキップ床を備えたスキップ空間を収納室等に利用することが従来から知られている（例えば、特許文献１参照）。
【０００３】
一般に、このスキップ床はスキップ床構造体と床パネルとを含んで構成されている。スキップ床構造体は、建物の全体構造を構成する主構造体から独立したり一部を利用したりして、その主構造体とは振動系を異ならせて設けられている。また、床パネルは軽量気泡コンクリート（ＡＬＣ）等によって矩形状に形成され、それが並んだ状態で複数設置されている。そして、それら各床パネルは、各々の長手方向両端部で前記スキップ床構造体に支持されるという支持構造になっている。
【先行技術文献】
【特許文献】
【０００４】
【特許文献１】特開２００７−３１５１６６号公報
【発明の概要】
【発明が解決しようとする課題】
【０００５】
ところで、スキップ空間で人が活動する等により、スキップ床の床面には鉛直方向への荷重がかかり、それによってスキップ床に振動が生じ得る。
【０００６】
しかしながら、従来のスキップ床にはそこに生じる振動対策が施されていないため、スキップ床の下方空間における静粛性や、人に不快感を生じさせてしまうという問題がある。特に、複数の床パネルがそれぞれの長手方向の両端部で支持された上記支持構造では、長手方向の非支持領域が長くなるため床パネルに撓みが生じやすく、長手方向両端部のパネル支持部に荷重が集中する。このため、床面にかかった荷重によって生じる床パネルの撓みやパネル支持部への荷重集中が振動をより大きくして上記問題をより悪化させてしまうことが懸念される。
【０００７】
そこで、本発明は、スキップ床に生じる振動を低減させることができる建物の提供を主たる目的とする。
【課題を解決するための手段】
【０００８】
本発明は、上記課題を解決するために、以下の手段を採用した。
【０００９】
すなわち、本発明では、建物の全体構造を構成する主構造体と、同主構造体に対して振動系を異ならせて設けられる副構造体とを備えた建物において、前記副構造体は複数の床パネルが設置されることによってスキップ床が構成されるスキップ床構造体であり、同スキップ床構造体には前記スキップ床の振動を低減させる制振装置が設けられていることを特徴とする。
【００１０】
この構成によれば、スキップ床の床面に鉛直方向への荷重がかかった場合でも、制振装置によってスキップ床に生じる振動は低減する。このため、スキップ床の下方空間における静粛性や、人に不快感を生じさせてしまうという問題を解消できる。
【００１１】
なお、スキップ床構造体の振動系が主構造体と異なる場合の具体的構成としては、スキップ床構造体が主構造体から独立した（絶縁された）構成や、主構造体の一部（例えば、柱）を利用した構成（ピン接合による場合も含む）等の構成が考えられる。
【００１２】
前記制振装置の設置に関するより具体的な構成として、前記スキップ床構造体は、矩形状をなす前記各床パネルがその長辺部同士を突き合わせて連設されるとともに、個々の床パネルの長手方向の両端部が短手方向に延びるスキップ梁に支持されるスキップ梁構造を含み、前記床パネルの長手方向端部を支持するスキップ梁に前記制振装置が設けられていることが好ましい。
【００１３】
矩形状をなす各床パネルがその長手方向の両端部で支持される構造では、長手方向の非支持領域が長くなるため床パネルに撓みが生じやすく、長手方向両端部を支持するスキップ梁に荷重が集中する。そのスキップ梁がスキップ床にかかる荷重の影響を受けやすく、振動も生じやすいという特性を有する。そこで、この構成によれば、その振動が生じやすいスキップ梁に制振装置が設けられているため、スキップ床の振動をよく低減させることができる。
【００１４】
より詳しくは、前記スキップ梁構造は、前記主構造体又は前記スキップ床構造体の柱に連結されてなるスキップ外周梁と、同スキップ外周梁の内側に設けられたスキップ内梁と、を有し、前記複数の床パネルの連接列が複数列設けられるとともに、各連設列の間に前記スキップ内梁が設けられ、同スキップ内梁により、隣接する両連設列の他列と向かい合う側の長手方向端部が併せて支持されており、前記床パネルの連設列間に設けられたスキップ内梁に、前記制振装置が設けられていることが好ましい。
【００１５】
この構成では、連設列間に介在するスキップ内梁により、隣接する両連設列の他列と向かい合う側の長手方向端部が併せて支持されているため、そのスキップ内梁には両列の床パネルから荷重を受ける。しかも、スキップ外周梁の長手方向に沿って見た場合に、柱との連結箇所から離れた位置であって鉛直方向への荷重に対する剛性が弱い部分に、スキップ内梁がスキップ外周梁に連結されている。このため、そのようなスキップ内梁はスキップ床にかかる荷重の影響を受けやすく、スキップ外周梁よりも振動が生じやすいという特性を有する。そこで、この構成によれば、その振動が生じやすいスキップ内梁に制振装置が設けられているため、スキップ床の振動をよく低減させることができる。
【００１６】
また、本発明では、前記スキップ梁構造を構成するスキップ梁は形鋼によって構成されるとともに、スキップ梁間に掛け渡されるスキップ内梁はその連結端部に設けられた仕口部材を介して連結対象梁に連結される連結構造を有し、前記仕口部材は、少なくとも前記連結対象梁が有する上フランジとその下側で面接触する上重合板部を備えていることが好ましい。
【００１７】
この構成によれば、仕口部材の上重合板部が連結対象梁の上フランジとその下側で面接触しているため、スキップ内梁に鉛直方向の荷重がかかった場合に、上重合板部にかかる上方向への力が連結対象梁の上フランジによって受け止められる。これにより、スキップ内梁の連結部分における強度が高められる。
【００１８】
この場合、上重合板部はスキップ内梁が有する上フランジともその下側で面接触する構成であることが好ましい。これにより、スキップ内梁にかかった鉛直方向の荷重に対して、スキップ内梁の上フランジが上重合板部によって面で下支えされるため、強度のさらなる向上を実現できるからである。
【００１９】
さらに、前記仕口部材には、少なくとも前記スキップ内梁が有する下フランジとその上側で面接触する下重合板部を備えていることが好ましい。
【００２０】
この構成によれば、仕口部材の下重合板部がスキップ内梁の下フランジとその上側で面接触しているため、スキップ内梁に鉛直方向の荷重がかかった場合に、前記下フランジにかかる上方向への力が下重合板部によって受け止められる。これにより、さらなる強度の向上を実現できる。
【００２１】
この場合、下重合板部は連結対象梁が有する下フランジともその上側で面接触する構成であることが好ましい。これにより、スキップ内梁にかかった鉛直方向の荷重に対して、下重合板部が連結対象梁の下フランジによって面で下支えされるため、強度のさらなる向上を実現できるからである。
【００２２】
さらにまた、前記スキップ内梁はウエブの両側に延びるフランジを備えた形鋼（例えば、Ｈ形鋼やＩ形鋼）によって構成され、前記上下の重合板部は前記連結対象梁及びスキップ内梁の両フランジにまたがる長さを有するとともに、前記スキップ内梁のウエブを挿入する挿入部がそれぞれ設けられていることが好ましい。
【００２３】
この構成によれば、仕口部材はその重合板部の挿入部にスキップ内梁のウエブを挿入した状態でスキップ内梁に取り付けられ、上下の重合板部はそれぞれ連結対象梁及びスキップ内梁の両フランジと面接触した状態となる。これにより、スキップ内梁にかかった鉛直方向の荷重に対する下支え、連結部分にかかる上方向への力の受け止めが仕口部材の上下で行われるため、仕口部材を介した連結構造において高い強度を実現できる。
【００２４】
この場合、上下の重合板部間には補強板部が設けられた構成を採用することが好ましい。これにより、上下の重合板部が補強されるため、その重合板部が有する機能を強化することができるからである。
【００２５】
前記スキップ床構造体が主構造と振動系が異なる場合の具体的な構成として、前記主構造により、上下階の各柱とその両柱の間に設けられた上階床梁とを含んで複数階建ての全体構造が構成されており、前記スキップ床構造体はその有するスキップ梁構造が前記主構造体の下階柱に連結された構成を有していることが考えられる。
【図面の簡単な説明】
【００２６】
【図１】住宅全体を示す概略縦断面図。
【図２】一階部分における主構造体の一部と、スキップ床構造体とを示す正面図。
【図３】スキップ床構造体の平面図（図２のＡ−Ａ断面）。
【図４】連結ブラケットを用いた連結構造の斜視図（図３のＸ方向に見た場合）。
【図５】図３におけるスキップ柱とスキップ外周梁との連結部分を示す拡大図。
【図６】図３のＢ部分について、（ａ）は拡大平面図、（ｂ）はＣ−Ｃ断面図。
【図７】図３のＢ部分を拡大して示す分解斜視図。
【図８】スキップ内梁の連結構造の強度を説明するための断面図であり、（ａ）は比較対象である従来の連結プレートが用いられた場合を、（ｂ）は仕口部材が用いられた場合を示している。
【図９】図３におけるＤ−Ｄ断面図。
【図１０】短辺側外周梁に定形床パネルが支持される様子を示した斜視図。
【図１１】図３におけるＥ−Ｅ断面図。
【図１２】床パネルの支持構造を概略的に示す図であり、（ａ）は短手方向に沿って見た場合を、（ｂ）は長手方向に沿って見た場合を示している。
【発明を実施するための形態】
【００２７】
以下に、本発明を具体化する一実施の形態について図面を参照しながら説明する。この実施の形態では、鉄骨軸組工法によって建てられた二階建ての戸建て住宅に具体化されている。
【００２８】
はじめに、この住宅の概要について、図１を参照しながら説明する。なお、図１は住宅全体を示す概略縦断面図である。
【００２９】
図１に示されているように、住宅１０は住宅本体１１と、その住宅本体１１の上方に設けられた屋根１２とを有している。このうち、住宅本体１１は、基礎１３上に設けられた一階部分１４と、その一階部分１４の上方に連続して設けられた二階部分１５とを備えている。そして、一階部分１４には居室等の空間部２１及び付属車庫（インナーガレージ）２２が形成されるとともに、二階部分１５にも居室等の空間部２３，２４が形成されている。なお、付属車庫２２の床面は、車両の出入りを考慮して基礎１３の天端よりも下方に配置されている。
【００３０】
併せて、住宅本体１１の一階部分１４には収納空間２５も設けられている。この収納空間２５は付属車庫２２の設置空間においてその出入り口２２ａからみて奥側に設けられ、付属車庫２２の床面と天井面との間に設けられたスキップ床２６を有している。空間に住人等が出入りすることを考慮して、その収納空間２５内の高さは例えば１ｍ〜１．４ｍの範囲に設定されている。また、隣接して階段空間等が設けられ、その踊り場にその収納空間２５への出入り口が設けられている。なお、収納空間２５が設けられていても、一階部分１４と二階部分１５との間の境界部１６の高さ位置は一般的な二階建て住宅と変わっていない。つまり、住宅本体１１には、一階部分１４の高さの範囲内にスキップ床２６が設置されて、住人等が入り込める収納空間２５が設けられている。
【００３１】
次に、上記収納空間２５では、スキップ床２６が住宅本体１１の主構造体に連結されたスキップ床構造体によって構成されている。このスキップ床構造体の具体的構造について、主構造体との連結構造を含めて図２乃至図８を参照しながら説明する。
【００３２】
まず、主構造体について、スキップ床構造体が連結される一階部分１４を中心に説明する。図２は一階部分１４における主構造体の一部と、スキップ床構造体とを示す正面図である。この図２に示されているように、主構造体３１は、主として柱３２，３４と梁３３とで構成されている。一階部分１４では、一階柱３２（下階柱に相当）が基礎１３の天端上に多数立設され、その上端は水平方向に延びる二階床梁３３（上階床梁に相当）に連結されている。二階床梁３３の上には二階柱３４（上階柱に相当）が多数立設されている。なお、図示は省略されているが、二階柱３４の上端は天井梁に連結されている。これら各部材間の連結構造は、例えば連結金具等を介して又は直接ボルト締めされたり、溶接されたりする構造となっている。その上、一階柱３２及び二階柱３４の一部はラチス柱３２ａ，３４ａとされ（後述する図３の平面図も参照）、それによって主構造体３１の剛性が高められている。
【００３３】
続いて、スキップ床構造体の基本構造について説明すると、図２に示されているように、スキップ床構造体４１は、主としてスキップ柱４２とスキップ梁構造４３とで構成されている。一階部分１４において、スキップ柱４２は基礎１３の天端上に複数立設されている。このスキップ柱４２のうち、スキップ梁構造４３の四隅に配置されるスキップ柱４２ａ（図３参照）は、前記主構造体３１の一階柱３２と兼用されている。そこでは、一階柱３２がスキップ柱４２としての役割も担うスキップ下部柱３６と、スキップ上部柱３７とに分割され、スキップ下部柱３６の上端がスキップ上部柱３７の下端に連結されている。各スキップ柱４２（一部はスキップ下部柱３６）の上端には、水平方向に延びるスキップ梁構造４３が連結されている。そして、非兼用のスキップ柱４２とスキップ下部柱３６との間にはトラス材４４が架け渡され、これにより各スキップ柱４２はトラス柱とされてスキップ床構造体４１の剛性が高められている。
【００３４】
次に、スキップ梁構造４３のより詳しい構造について、図３を参照しながら説明する。図３は、スキップ床構造体４１の平面図（図２のＡ−Ａ断面）である。この図３に示されているように、スキップ梁構造４３はその外枠となるスキップ外周梁５１（５１Ａ，５１Ｂ）と、スキップ外周梁５１を補強して剛性を高めるスキップ内梁７１とで構成されている。そのスキップ外周梁５１及びスキップ内梁７１は溝形鋼又はＨ形鋼によって構成され、いずれも同じ高さ寸法でかつ同じフランジ板厚を有している。そして、スキップ梁構造４３においては、これらスキップ外周梁５１及びスキップ内梁７１のフランジ上面が同じ高さとなるように各梁５１，７１が水平に設けられ、それらのフランジ上面によって水平をなす同一平面が形成されている。
【００３５】
このうちまずスキップ外周梁５１について説明すると、このスキップ外周梁５１は溝形鋼によって構成されている。そのウエブ外面を外向きにした状態で、スキップ床構造体４１の四隅に配置されたスキップ柱４２ａ（詳しくはスキップ下部柱３６の上端）の間にそれぞれ架け渡されている。そして、このスキップ外周梁５１によって、平面視において略矩形状をなすスキップ梁構造４３の外枠が形成されている。なお、図３の図示では、その縦方向が外枠の長辺側となっており、５１Ａが長辺側外周梁、５１Ｂが短辺側外周梁である。
【００３６】
この四隅のスキップ柱４２ａとスキップ外周梁５１との連結構造を詳しく説明すると、スキップ外周梁５１のうち一対の長辺側外周梁５１Ａがスキップ柱４２ａに連結されている。この場合、各長辺側外周梁５１Ａの長手方向端部に設けられた連結ブラケット５２を介してスキップ柱４２ａに連結され、両長辺側外周梁５１Ａが平面視において互いに平行をなし、かつ相対向した状態で配置されている。
【００３７】
図４には、この連結ブラケット５２を用いた連結構造の斜視図が拡大して示されている（図３左上に示すＸ方向に見た場合の斜視図）。この図４に示されているように、連結ブラケット５２は平面視においてＬ字状をなす連結板部６１と、その上下に設けられた板部６２，６３とで構成されている。上下の板部６２，６３は連結板部６１に対して溶接等によって取り付けられており、これによって連結板部６１の剛性が高められている。そして、連結板部６１の一片部がプレート材６４を介して溶接等によりスキップ柱４２ａに取り付けられ、他片部が長辺側外周梁５１Ａのウエブ外面にボルト締めによって取り付けられている。
【００３８】
ここで、図５には、図３におけるスキップ柱４２ａとスキップ外周梁５１との連結部分が拡大して図示されている。この図５に示されているように、横断面四角形状をなす管柱である四隅のスキップ柱４２ａにおいて、連結ブラケット５２の連結板部６１は特定の側面に取り付けられている。その特定側面とは、そこに連結板部６１が取り付けられることにより、平面視において各スキップ柱４２ａ（一階柱３２と兼用のもの）を四隅として形成される主構造設置区画Ｓの内側に長辺側外周梁５１Ａが配置される側面である。図５では、長辺側外周梁５１Ａの長手方向に見て相対向する側面４２Ａが特定側面に相当する。
【００３９】
図３に戻り、スキップ外周梁５１のうち短辺側外周梁５１Ｂは、一対の長辺側外周梁５１Ａの長手方向端部間を架け渡すようにして設けられている。図５に示されているように、両者の連結は、それぞれの連結側端部に設けられた連結部材６５を介して行われている。連結部材６５は平面視においてＬ字状をなし、一片部が短辺側外周梁５１Ｂのウエブ内面に溶接等によって取り付けられるとともに、他片部が長辺側外周梁５１Ａのウエブ内面にボルト締めによって取り付けられている。そして、この短辺側外周梁５１Ｂも主構造設置区画Ｓの内側に配置されている。したがって、スキップ梁構造４３の全体が主構造設置区画Ｓの内側に配置されている。
【００４０】
続いて、スキップ内梁７１について説明すると、図３に示されているように、スキップ内梁７１は主内梁７２（７２Ａ，７２Ｂ）とその主内梁７２を補強する補強内梁７３（７３Ａ〜７３Ｃ）とで構成されている。これら主内梁７２及び補強内梁７３はいずれもＨ形鋼によって構成されている。
【００４１】
まず主内梁７２は一対の長辺側外周梁５１Ａの間を架け渡すように設けられ、その両端部が長辺側外周梁５１Ａに連結されている。長辺側外周梁５１Ａ間には二本の主内梁７２が設けられ、二箇所で架け渡されている。つまり、長辺側外周梁５１Ａの長手方向中央部あたりで架け渡されている第１主内梁７２Ａと、同長手方向端部側に偏った位置で架け渡されている第２主内梁７２Ｂとよりなる。なお、この両主内梁７２Ａ，７２Ｂは、長辺外周梁５１Ａの長手方向長さを三等分する位置に配置されていない。これは、その配置が後述の定形床パネル１０１ａが有する長辺寸法Ｌ１に合わせて決められるからである。このスキップ梁構造４３では、それに従って配置が決められた場合に余剰部分Ｋが生じることから前述の配置となる。
【００４２】
一方、補強内梁７３は主内梁７２や短辺側外周梁５１Ｂの間を架け渡すように設けられ、それにより主内梁７２が補強されている。具体的には、一方の短辺側外周梁５１Ｂと第１主内梁７２Ａとの間に第１補強内梁７３Ａが、一対の主内梁７２Ａ，７２Ｂの間に第２補強内梁７３Ｂが、他方の短辺側外周梁５１Ｂと第２主内梁７２Ｂとの間に第３補強内梁７３Ｃが設けられている。これら各補強内梁７３Ａ〜７３Ｃはいずれも主内梁７２や短辺側外周梁５１Ｂの長手方向中央部に設けられている。第１補強内梁７３Ａと第２補強内梁７３Ｂとは同じ長手方向の長さを有し、その長さは前記定形床パネル１０１ａの長辺寸法Ｌ１と略同じ長さとなっている。これに対し、第３補強内梁７３Ｃは余剰部分Ｋの長さと同じになっている。そして、各補強内梁７３Ａ〜７３Ｃはそれぞれの端部が主内梁７２又は短辺側外周梁５１Ｂに連結されている。
【００４３】
これらのスキップ内梁７１（主内梁７２及び補強内梁７３）が設けられることにより、スキップ外周梁５１の内側には複数の床パネル設置領域Ｒ１〜Ｒ６が形成されている。このうち、一方の短辺側外周梁５１Ｂと第２主内梁７２Ｂとの間は、第１主内梁７２Ａ、第１補強内梁７３Ａ及び第２補強内梁７３Ｂによって区画され、それによって形成された領域Ｒ１〜Ｒ４は同じ平面積を有している。一方、他方の短辺側外周梁５１Ｂと第２主内梁７２Ｂとの間は第３補強内梁７３Ｃによって区画され、それによって形成された領域（余剰部分Ｋの領域）Ｒ５，Ｒ６は、他の領域Ｒ１〜Ｒ４の四分の一程度となる小さい平面積を有している。
【００４４】
ここで、スキップ内梁７１の連結構造は従来公知の連結構造と異なる特徴的構成を有している。このため、その連結構造の具体的構成を詳しく説明する。ただ、スキップ内梁７１の中でも第３補強内梁７３Ｃは前述した公知の構造によって連結されているため、ここでの特徴はそれを除くスキップ内梁７１の連結構造に関する。それらは同様の連結構造を有しているため、代表として第１主内梁７２Ａと長辺側外周梁５１Ａ（連結対象梁に相当）との連結構造（図３のＢ部分）について、図６及び図７を参照しながら説明する。なお、この両図は図３におけるＢ部分を拡大して示す図であり、図６の（ａ）は拡大平面図、（ｂ）はＣ−Ｃ断面図、図７は分解斜視図である。
【００４５】
まず、図６に示されているように、Ｈ形鋼よりなる第１主内梁７２Ａは、仕口部材７４を介して溝形鋼よりなる長辺側外周梁５１Ａに連結されている。この仕口部材７４は、図７に示されているように、いずれも四角形状をなす板状部材である立て板部８１、上下の水平板部８２，８３及び直交板部８４によって構成されている。
【００４６】
立て板部８１は、その板面が長辺側外周梁５１Ａのウエブ５３と平行をなすように設けられている。そして、その一方の板面（外側板面）が、外周梁５１Ａのウエブ５３と対向して配置されている。
【００４７】
上下の水平板部８２，８３（上重合板部、下重合板部に相当）は、それぞれの基端が立て板部８１の上辺部及び下辺部に各々溶接等によって取り付けられ、主内梁７２Ａの延びる方向に向けて突出する片持ち状態となっている。また、上下の水平板部８２，８３の先端側には、先端縁にて開放された挿入孔８５，８６（挿入部に相当）がそれぞれ形成されている。これら挿入孔８５，８６は水平板部８２，８３の突出方向（第１主内梁７２Ａの延びる方向）に沿った長孔形状をなし、主内梁７２Ａのウエブ厚よりも幅広に形成されている。
【００４８】
直交板部８４（補強板部に相当）は立て板部８１の内側板面に立設され、同内側板面に対して垂直をなす状態で溶接等によって取り付けられている。加えて、上下の水平板部８２，８２の間の全域にわたる高さを有しており、その上辺部が上水平板部８２に、下辺部が下水平板部８３にそれぞれ溶接等によって取り付けられている。この場合、直交板部８４は上下の水平板部８２，８３に対しても垂直状態となっている。この直交板部８４によって、水平板部８２，８３の片持ち状態が補強されている。
【００４９】
仕口部材７４の寸法について概観すると、図７に示されているように、立て板部８１の高さＨ１は外周梁５１Ａ及び主内梁７２Ａのウエブ５３，７５の内面高さＨ２よりも小さく形成されている。なお、外周梁５１Ａ及び主内梁７２Ａの高さやフランジ板厚が同じ寸法であることは前述した。そして、立て板部８１の高さＨ１と上下水平板部８２，８３の板厚とを合わせると、外周梁５１Ａ及び主内梁７２Ａのウエブ５３，７５の内面高さＨ２と略同じとなる高さＨ３を有する。上下の水平板部８２，８３において、その基端から先端までの長さＬ２は、外周梁５１Ａのフランジ５４が有する幅Ｌ３よりも長く形成されている。また、図６（ａ）に示されているように、外周梁５１Ａの延びる方向における立て板部８１及び水平板部８２，８３の幅は、同方向における主内梁７２Ａのフランジ幅と同じとなっている。その幅方向中央部に前記挿入孔８５，８６及び直交板部８４が設けられており、平面視ではこれらが同一直線上に配置されている。この場合、平面視すると、直交板部８４の先端部が挿入孔８５，８６の形成された部分まで若干入り込んだ状態となっている。
【００５０】
続いて、上記構成を有する仕口部材７４を用いた具体的連結構造を、図６を参照して説明する。まず図６（ａ）（ｂ）において、仕口部材７４の水平板部８２，８３は、その先端側が主内梁７２Ａの連結側端部における上下フランジ７６ａ，７６ｂ間に入り込んでいる。この状態では、上水平板部８２の上面は上フランジ７６ａの下面に、下水平板部８３の下面は下フランジ７６ｂの上面に当接している。フランジ間に入り込む場合には、図６（ａ）に示されているように、主内梁７２Ａのウエブ７５はその連結端が直交板部８４の先端と当接するまで挿入孔８５，８６に挿入されている。そして、図６（ｂ）に示されているように、ウエブ７５の連結端と直交板部８４の先端とが当接した部分、及び上下の水平板部８２，８３の先端部と上下のフランジ７６ａ，７６ｂの内面との間がそれぞれ溶接され、それによって仕口部材７４が主内梁７２Ａに取り付けられている。なお、同図には溶接部分が強調して図示されている。
【００５１】
また、図６（ａ）（ｂ）において、立て板部８１の外側板面が長辺側外周梁５１Ａのウエブ５３内面と当接した状態でボルト締めされ、これによって仕口部材７４がその外周梁５１Ａに取り付けられている。この場合、上下の水平板部８２，８３は、その基端側が外周梁５１Ａの上下フランジ５４ａ，５４ｂ間に入り込んでいる。図６（ｂ）に示されているように、その状態では、上水平板部８２の上面は外周梁５１Ａの上フランジ５４ａの下面に、下水平板部８３の下面は外周梁５１Ａの下フランジ５４ｂの上面に当接している。
【００５２】
このように、仕口部材７４の水平板部８２，８３及び直交板部８４の先端が主内梁７２Ａに取り付けられ、立て板部８１が外周梁５１Ａに取り付けられることにより、仕口部材７４を介して外周梁５１Ａと主内梁７２Ａとが連結されている。
【００５３】
この連結構造では、スキップ床２６にかかる鉛直下方向への荷重に対する強度が従来よりも向上する。図８はその説明のための図であり、（ａ）は比較対象である従来の連結プレートが用いられた場合を、（ｂ）は仕口部材７４が用いられた場合を示している。まず図８（ａ）に示されているように、Ｌ字状をなす連結プレート１２１が用いられた従来の連結構造では、連結プレート１２１の一片部が外周梁５１Ａにボルト締めで取り付けられ、他片部は主内梁７２Ａに周縁部分が溶接されることで取り付けられている。この場合に、主内梁７２Ａに鉛直下方向の荷重Ｆ１がかかったことを想定する。この荷重Ｆ１は、例えば収納空間２５での人の活動等に起因するものである。すると、この荷重Ｆ１についても、荷重Ｆ１によって連結部分に作用する上方向への力Ｆ２についても、それを受け止める部分がないために強度的には弱くなる。
【００５４】
これに対し、図８（ｂ）に示されているように、仕口部材７４を用いると、上下の水平板部８２，８３が外周梁５１Ａ及び主内梁７２Ａの各フランジ５４，７６と面接触状態で上下に重なり合った状態となる。この構成では、荷重Ｆ１に対しては、主内梁７２Ａの上フランジ７６ａが上水平板部８２によって面で下支えされるとともに、下水平板部８３が外周梁５１Ａの下フランジ５４ｂによって面で下支えされる。また、力Ｆ２に対しては、上水平板部８２にかかるものはそれに重なる外周梁５１Ａの上フランジ５４ａにより、主内梁７２Ａの下フランジ７６ｂにかかるものはそれに重なる下水平板部８３によって受け止められる。これにより、鉛直下方向への荷重Ｆ１が主内梁７２Ａにかかっても、連結部分での強度が高められる。
【００５５】
以上のように、スキップ梁構造４３はスキップ外周梁５１にスキップ内梁７１が連結されてある程度の剛性が確保されているが、図３に示されているように、水平ブレース９１や剛床プレート９２が設けられることでさらにその剛性が高められている。これら水平ブレース９１や剛床プレート９２は、平面視において互いに平行に配置された短辺側外周梁５１Ｂ及び主内梁７２において、隣接する梁間に架け渡されている。ちなみに、図６には、第１主内梁７２Ａに対する水平ブレース９１の連結端の構成が図示されている。図示されているように、水平ブレース９１はワイヤ部材９３とその両端部に設けられた連結金具９４とで構成されている。この連結金具９４が前記仕口部材７４と干渉する部分では、下水平板部８３に連結金具９４用の溝等が形成される等の工夫がなされている。
【００５６】
以上がスキップ床構造体４１に関する構成である。次に、収納空間２５のスキップ床２６（図１参照）は、上記構成を有するスキップ床構造体４１に加え、スキップ梁構造４３に床パネルとその上面に各種床材とがさらに設置されることによって構成されている。その床パネルが設置される具体的構造について、図３、図９及び図１０を参照しながら説明する。なお、床材は防水シート、断熱材やフローリング等の周知のものであり、その具体的説明は省略する。
【００５７】
まず、図３を用いて概要を説明すると、床パネル１０１（二点鎖線で図示されている）はスキップ梁構造４３に形成された各床パネル設置領域Ｒ１〜Ｒ６に設置されている。この床パネル１０１は軽量気泡コンクリート（ＡＬＣ）によって構成されており、既定寸法を有する定形床パネル１０１ａと、任意の寸法を有する特殊床パネル１０１ｂからなる。いずれも同じパネル厚を有するが、特殊床パネル１０１ｂは余剰部分Ｋの領域Ｒ５，Ｒ６の平面積に応じて成形されて同領域Ｒ５，Ｒ６に設置されている。一方、その他の各領域Ｒ１〜Ｒ４には、定形床パネル１０１ａが複数（この実施形態では４つ）ずつ設置されている。その設置に際しては、各定形床パネル１０１ａをその長手方向が長辺側外周梁５１Ａの延びる方向と平行となる同じ向きに配置されるとともに、長辺部同士を隣り合わせた状態で連設されている。そして、かかる連設列は二列（領域Ｒ１，Ｒ２の列と、領域Ｒ３，Ｒ４の列）設けられている。
【００５８】
なお、前記床パネル１０１としては、前述した軽量気泡コンクリート（ＡＬＣ）等のコンクリート系床材の他、金属性ハニカムパネル等の金属製床材など、各種の高剛性板材を採用することができる。
【００５９】
このように設置された各床パネル１０１は、定形床パネル１０１ａについてはその長手方向の両端部（つまり、両短辺部）で、特殊床パネル１０１ｂについてはその短手方向の両端部（つまり、両長辺部）で下支えされている。それら定形床パネル１０１ａ及び特殊床パネル１０１ｂが支持される構造を次に説明する。その支持構造は被支持部が短辺部か長辺部かが異なるだけで、支持構造そのものは同様の構成を有している。このため、代表として定形床パネル１０１ａが設置される領域Ｒ１での支持構造を、図９及び図１０を参照しながら説明する。なお、図９は図３におけるＤ−Ｄ断面図であり、図１０は短辺側外周梁５１Ｂに定形床パネル１０１ａが支持される様子を示した斜視図である。
【００６０】
図９に示されているように、定形床パネル１０１ａの支持構造には、支持ブラケット１０２及び床受金具１０３が設けられている。図１０も併せて参照すると、支持ブラケット１０２は互いに反対方向へ延びるフランジ１０４を有する平面視略Ｚ形状をなし、一方のフランジ１０４が短辺側外周梁５１Ｂ及び第１主内梁７２Ａのウエブ５３，７５にそれぞれボルト締めによって取り付けられている。この場合、溝形鋼よりなる短辺側外周梁５１Ｂについてはその内側（フランジ５４が設けられている側）に、Ｈ形鋼よりなる第１主内梁７２Ａについてはその両側に取り付けられている。そして、床パネル設置領域Ｒ１において、外周梁５１Ｂや主内梁７２Ａの延びる方向に沿って所定間隔ごと複数の支持ブラケット１０２が設けられている。
【００６１】
一方、床受金具１０３は横断面略Ｌ字状をなす山形鋼によって構成され、同じ梁（外周梁５１Ｂ又は主内梁７２Ａ）に設けられた複数の支持ブラケット１０２間に架け渡されている。この場合、各支持ブラケット１０２における他方のフランジ１０４に溶接等によって取り付けられ、水平かつ梁（外周梁５１Ｂ又は主内梁７２Ａ）と平行に延びている。これにより、床受金具１０３の上面が梁（外周梁５１Ｂ又は主内梁７２Ａ）から設置領域Ｒ１の内側に突出する水平な面となり、その上面がパネル受け面１０５となる。
【００６２】
設置領域Ｒ１内において、相対向する支持ブラケット１０２及び床受金具１０３は同一高さ位置に設置されている。このため、外周梁５１Ｂ側のパネル受け面１０５と、主内梁７２Ａ側のパネル受け面１０５とが同じ高さとなり、両面は同一の水平面をなしている。そして、図１０に示されているように、床受金具１０３のパネル受け面１０５に定形床パネル１０１ａの長手方向端部が載置される。その結果、図９に示されているように、定形床パネル１０１ａの長手方向両端部がパネル受け面１０５に支持された状態で、領域Ｒ１に定形床パネル１０１ａが設置される。なお、その設置された定形床パネル１０１ａの固定には、床受金具１０３に取り付けられたクリップ金具１０６が用いられている。
【００６３】
また、パネル受け面１０５と外周梁５１Ｂ及び主内梁７２Ａのフランジ上面との間の高さＨ４が、定形床パネル１０１ａのパネル厚Ｄ１と同じとなるように設定されている。このため、定形床パネル１０１ａが設置された状態では、その上面と外周梁５１Ｂ及び主内梁７２Ａのフランジ上面とで同一の水平面をなしている。
【００６４】
次に、収納空間２５のスキップ床２６（図１参照）は、そのスキップ床２６に生じる振動を低減させる構成を備えている。収納空間２５で住人等が活動する等により、スキップ床２６の床面には鉛直方向への荷重がかかり、それによってスキップ床２６に振動が生じてしまうからである。その振動低減の具体的構成について、図３及び図１１を参照しながら説明する。なお、図１１は図３におけるＥ−Ｅ断面図である。
【００６５】
まず図３に示されているように、スキップ梁構造４３には、その第１主内梁７２Ａに制振装置１１１が設けられている。一対の長辺側外周梁５１Ａの間に架け渡された第１主内梁７２Ａは、その長手方向の略中央部に補強内梁７３が連結されている。このため、長辺側外周梁５１Ａと補強内梁７３との間の二箇所に、それぞれ複数（図３では２つ）の制振装置１１１が設けられている。
【００６６】
この制振装置１１１は、図１１に示されているように、ダイナミックダンパと呼ばれる従来公知のものであり、所定の質量を有するマスブロック１１２と、所定のバネ特性及び減衰特性を有するゴム等の弾性体１１３とで構成されている。第１主内梁７２Ａのウエブ７５にはその両側に支持板１１４が取り付けられており、この支持板１１４に制振装置１１１がそれぞれ設置されている。その詳細な説明は省略するが、この制振装置１１１が第１主内梁７２Ａに設置されていることにより、スキップ床２６の床面に荷重がかかった場合でもその第１主内梁７２Ａに生じる振動が低減され、ひいては、スキップ床２６の振動が低減される。
【００６７】
ところで、制振装置１１１が第１主内梁７２Ａに設置されているのは、スキップ床２６の床面に荷重がかかった場合に、スキップ梁構造４３を構成する各梁５１，７１の中でもその影響を受けて振動が生じやすいのが第１主内梁７２Ａだからである。それは、床パネル１０１の支持構造が主な要因となっている。その点について図１２を参照しながら説明する。なお、図１２は床パネル１０１の支持構造を概略的に示す図であり、（ａ）は短手方向に沿って見た場合、（ｂ）は長手方向に沿って見た場合を示している。
【００６８】
まず図１２（ａ）に示されているように、短手方向に沿って支持構造を見ると、定形床パネル１０１ａはその短辺部が短辺側外周梁５１Ｂ又は主内梁７２によって支持されている。その支持は短辺部の全域にわたっている。
【００６９】
これに対し、図１２（ｂ）に示されているように、長手方向に沿って支持構造を見ると、定形床パネル１０１ａはその長手方向両端部で短辺側外周梁５１Ｂ又は主内梁７２に支持されている。この支持構造では長手方向に沿った非支持領域が長くなるため、一転鎖線にて誇張して図示されているように、定形床パネル１０１ａに撓みＴが生じやすく、その撓みＴによって端部を支持する梁５１，７２に荷重が集中する。その上、定形床パネル１０１ａは連設列が二列設けられ、各列の他列と向かい合う側の端部が第１主内梁７２Ａによって支持されている。このため、第１主内梁７２Ａには長手方向端部を支持する梁にかかる通常荷重ｆの二倍の荷重２ｆが作用する。
【００７０】
さらに、長辺側外周梁５１Ａはその長手方向端部が主構造体３１の一階柱３２と兼用されるスキップ柱４２ａに連結され、第２主内梁７２Ｂはその端部に比較的近い位置で長辺側外周梁５１Ａに連結されている。このため、第２主内梁７２Ｂについては、定形床パネル１０１ａの撓みＴによる荷重が作用した場合でも剛性がある程度確保されている。しかしながら、第１主内梁７２Ａは長辺側外周梁５１Ａにその長手方向中央部寄りの位置で連結されている。つまり、長辺側外周梁５１Ａの長手方向に沿って見た場合に、主構造体３１との両端連結箇所から比較的離れた位置であって、鉛直下方向への荷重に対する剛性が弱い部分で連結されている。
【００７１】
したがって、第１主内梁７２Ａでは、前述した両要因があいまって、通常荷重ｆの二倍の荷重２ｆが剛性の弱い部分に作用するため、スキップ床２６の床面に荷重がかかると、その影響を受けて第１主内梁７２Ａに振動が生じやすい。そこで、このような第１主内梁７２Ａに制振装置１１１が設置されることにより、スキップ梁構造４３を構成する各梁５１，７１の中でもっとも振動しやすい第１主内梁７２Ａでの振動が低減され、ひいては、スキップ床２６の振動が大きく低減される。
【００７２】
なお、特殊床パネル１０１ｂについては、図１２（ｂ）に示されているように、その短手方向両端部が支持されているため、定形床パネル１０１ａのような撓みＴによる前述の問題点は生じにくい。
【００７３】
以上の構成により、この実施の形態によれば以下に示す有利な効果が得られる。
【００７４】
（１）スキップ床２６の床面に鉛直方向への荷重がかかった場合でも、制振装置１１１によって振動が低減するため、スキップ床２６の下方に配置された付属車庫２２における静粛性や、人に不快感を生じさせてしまうという問題を解消できる。
【００７５】
（２）この制振装置１１１は、第１主内梁７２Ａに設けられている。この第１主内梁７２Ａでは、床パネル支持梁への通常荷重ｆの二倍の荷重２ｆが作用すること、鉛直下方向への荷重に対する剛性が弱い部分で長辺側外周梁５１Ａに連結されていることの両要因があいまって、振動が生じやすくなっている。このような第１主内梁７２Ａに制振装置１１１が設けられているため、スキップ床２６の振動をよく低減させることができる。
【００７６】
（３）スキップ内梁７１の連結には仕口部材７４が用いられている。この仕口部材７４は上下の水平板部８２，８３を有し、それぞれが連結対象梁（スキップ外周梁５１又は主内梁７２）及びスキップ内梁７１（主内梁７２又は補強内梁７３）の両フランジ５４，７６と面接触した状態となっている。これにより、スキップ内梁７１にかかった鉛直方向の荷重Ｆ１に対する下支え、連結部分にかかる上方向への力Ｆ２の受け止めが仕口部材７４の上下で行われるため、高い強度を実現できる。
【００７７】
そして、この上下の水平板部８２，８３は立て板部８１に対して片持ち状態で取り付けられているが、両水平板部８２，８３間に直交板部８４が介在しているため、その片持ち状態が補強されている。これにより、水平板部８２，８３が有する機能を強化することができる。
【００７８】
（４）主構造体３１とは別にスキップ床構造体４１が設けられ、そのスキップ床構造体４１によって収納空間２５のスキップ床２６が形成されている。そして、スキップ床構造体４１を構成するスキップ梁構造４３は、その全体が主構造設置区画Ｓの内側に配置されている。これにより、主構造体３１の一部として設けられる構造と異なり、スキップ床２６が設置される場合の設計自由度が高まる。
【００７９】
（５）床パネル１０１はその上面がスキップ外周梁５１及びスキップ内梁７１のフランジ上面と面一となるように設けられ、スキップ梁構造４３の全域で同一の水平面が形成されている。その面に各種床材が設置されてスキップ床２６の床面となるため、床パネル１０１がスキップ外周梁５１やスキップ内梁７１のフランジ上面より突出した状態で設置される場合に比べ、収納空間２５を最大限に確保できる。
【００８０】
なお、以上説明した実施の形態に限らず、例えば以下に別例として示した形態で実施することもできる。
【００８１】
（ａ）上記実施の形態では、スキップ床構造体４１のスキップ柱４２はその一部が主構造体３１の一階柱３２と兼用されているが、すべてのスキップ柱４２が一階柱３２とは別に設けられた構成としてもよい。つまり、主構造体３１の一部を利用してスキップ床構造体４１が連結されている構成ではなく、主構造体３１から完全に独立した（絶縁された）構成や、連結部での回転が自在とされたピン接合による構成等を採用してもよい。前者の場合、スキップ外周梁５１は一階柱３２とは独立して設けられた四隅のスキップ柱４２ａに連結されることになる。また、スキップ柱４２は基礎１３の天端上に立設されているが、その立ち上がり部の側面に立設された構成や、二階床梁３３に吊り下げ支持された構成を採用してもよい。要は、主構造体３１に対して副構造体であるスキップ床構造体４１が設置される構造（スキップ架構モデル）は、スキップ床構造体４１が主構造体３１と振動に違いが出る場合（異なる振動系）であればよい。
【００８２】
（ｂ）上記実施の形態では、スキップ梁構造４３には定形床パネル１０１ａが設置できない余剰部分Ｋが存在しているが、これは寸法上生じてしまう部分であってスキップ梁構造４３に必ず存在する部分ではない。例えば、スキップ梁構造４３が平面視において正方形状をなす構成としてもよい。
【００８３】
また、スキップ梁構造４３（つまり、スキップ床２６）の寸法によっては、スキップ内梁７１の主内梁７２が設けられない場合もある。例えば、長辺側外周梁５１Ａの長手方向に沿って並ぶ床パネル設置領域Ｒ２，Ｒ４，Ｒ６のみが形成されるスキップ梁構造であれば、スキップ内梁７１は主内梁７２の設置箇所に設けられる補強内梁７３だけとなる。
【００８４】
（ｃ）上記実施の形態では、スキップ梁構造４３には定形床パネル１０１ａの連設列が二列設けられているが、スキップ梁構造４３の寸法次第で、一列だけ設けられた構成、三列以上設けられた構成であってもよい。
【００８５】
例えば、第１補強内梁７３Ａを間に挟む床パネル設置領域Ｒ１，Ｒ２が形成されるスキップ梁構造の場合、定形床パネル１０１ａの連設列は一列となる。この場合、列の途中に第１補強内梁７３Ａが挟まれているが、この定形床パネル１０１ａはその長手方向両端部が平行に延びる外周梁によって支持されることになる。かかる構成では、定形床パネル１０１ａを支持する両外周梁に制振装置１１１が設置されもよいし、片方の外周梁だけに設置されてもよい。
【００８６】
また、特殊床パネル１０１ｂが設置される床パネル設置領域Ｒ５，Ｒ６も定形床パネル１０１ａが設置される領域とされたスキップ梁構造の場合、定形床パネル１０１ａの連設列は三列となる。この場合、当該領域Ｒ５，Ｒ６に設置された定形床パネル１０１ａは、短辺側外周梁５１Ｂと第２主内梁７２Ｂとによってその長手方向端部が支持される。かかる構成では、第１主内梁７２Ａだけでなく第２主内梁７２Ｂにも制振装置１１１が設置されることが好ましい。第１主内梁７２Ａと同じく第２主内梁７２Ｂでも、通常荷重ｆの二倍の荷重２ｆが剛性の弱い部分に作用するからである。
【００８７】
このように、制振装置１１１は、副構造体であるスキップ床構造体４１の構成次第で、スキップ床２６に荷重がかかった場合の影響が大きい梁に設置されることが好ましい。なお、設置コストの制限がなければその設置箇所を増やしてもよい。
【００８８】
（ｄ）上記実施の形態では、スキップ外周梁５１間に架け渡された主内梁７２によって床パネル１０１の端部が支持されているが、補強内梁７３によって床パネル１０１の端部が支持される構成を採用してもよい。ただ、床パネル１０１の支持剛性を考慮すると、スキップ外周梁５１の間に架け渡されて補強内梁７３よりも剛性が高い主内梁７２によって支持される構成の方がより好ましい。
【００８９】
（ｅ）上記実施の形態では、スキップ内梁７１（主内梁７２及び補強内梁７３）の連結構造に仕口部材７４が用いられているが、この構成は必須のものではなく、従来の連結プレート１２１を用いた連結構造であってもよい。もっとも、連結部分での剛性強化という点からすれば、仕口部材７４を用いた連結構造であることが好ましい。
【００９０】
（ｆ）上記実施の形態では、スキップ床２６の上方空間が収納空間２５とされているが、スキップ床２６の下方空間を収納空間としてもよい。この場合、スキップ床２６の上方空間は、例えば居室等の空間部となる。また、一階部分１４の付属車庫２２にスキップ床２６が設けられているが、基礎１３の天端より下方に床面が配置される一階部分１４の居室等空間部にスキップ床２６が設けられた構成や、二階部分１５にスキップ床２６が設けられた構成を採用してもよい。
【００９１】
（ｇ）上記実施の形態では、鉄骨軸組工法による二階建ての戸建て住宅１０を建物の具体例としたが、在来工法によって建てられた建物やユニット式建物、店舗や倉庫等の住宅以外の建物、集合住宅等の建物であってもよい。
【符号の説明】
【００９２】
１０…住宅（建物）、２６…スキップ床、３１…主構造体、３２…一階柱（下階柱）、３３…二階床梁（上階床梁）、３４…二階柱（上階柱）、４１…スキップ床構造体、４３…スキップ梁構造、５１…スキップ外周梁、５１Ａ…長辺側外周梁（連結対象梁）、５４…フランジ、７１…スキップ内梁、７２Ａ…第１主内梁、７４…仕口部材、７５…ウエブ、７６…フランジ、８２…上水平板部（上重合板部）、８３…下水平板部（下重合板部）、８５，８６…挿入孔（挿入部）、１０１…床パネル、１１１…制振装置。
【図１】
2010209616.tif 000003
【図２】
2010209616.tif 000004
【図３】
2010209616.tif 000005
【図４】
2010209616.tif 000006
【図５】
2010209616.tif 000007
【図６】
2010209616.tif 000008
【図７】
2010209616.tif 000009
【図８】
2010209616.tif 000010
【図９】
2010209616.tif 000011
【図１０】
2010209616.tif 000012
【図１１】
2010209616.tif 000013
【図１２】
2010209616.tif 000014